(57)【要約】  本発明は、光ネットワークシステム、特に、ギガビット受動光ネットワーク（ＧＰＯＮ：Ｇｉｇａｂｉｔ−ｃａｐａｂｌｅ  Ｐａｓｓｉｖｅ  Ｏｐｔｉｃａｌ  Ｎｅｔｗｏｒｋ）等の、受動光ネットワーク（ＰＯＮ：Ｐａｓｓｉｖｅ  Ｏｐｔｉｃａｌ  Ｎｅｔｗｏｒｋ）に対する迅速な保護を行うための方法、デバイス、およびシステムに関するものである。本方法においては、第１の光ネットワークデバイスと第１の光回線終端デバイスとの間の通信障害が検出される。第１の光回線終端デバイスから第２の光回線終端デバイスへの機能の切り替えが開始され、そして、制御信号が第２の光回線終端デバイスから第１の光ネットワークデバイスに送信され、第１の光ネットワークデバイスは初期状態に移行することが防止される。さらに、本方法は、第１の光ネットワークデバイスに対するタイミング設定を決定して設定するステップを備える。
2011519197.tif 000002
【特許請求の範囲】
【請求項１】
第１の光ネットワークデバイスと、光分配ネットワークと、第１の光回線終端デバイスと、第２の光回線終端デバイスとを備えた光ネットワークシステムを保護する方法であって、前記第１の光ネットワークデバイスは、前記光分配ネットワークと前記第１の光回線終端デバイスに接続された第１の光ファイバトランクとを経由した第１のコネクションを通じて前記第１の光回線終端デバイスと通信するとともに、前記第１の光ネットワークデバイスは前記光分配ネットワークと前記第２の光回線終端デバイスに接続された第２の光ファイバトランクとを経由した第２のコネクションを通じて前記第２の光回線終端デバイスと通信し、
前記方法は、
前記第１の光ネットワークデバイスと前記第１の光回線終端デバイスとの間における通信の障害を検出する検出ステップと、
前記第１の光回線終端デバイスから前記第２の光回線終端デバイスへ機能の切り替えを開始する開始ステップと、
前記第１の光ネットワークデバイスが初期状態へ遷移しないよう前記第２の光回線終端デバイスから前記第１の光ネットワークデバイスへ制御メッセージを送信する送信ステップと、
前記第１の光ネットワークデバイスについてのタイミング設定を決定し、決定した該タイミング設定を前記第１の光ネットワークデバイスに設定する設定ステップと
を有することを特徴とする方法。
【請求項２】
前記通信の障害についての発生原因を判別するステップと、
前記通信の障害について判別した発生原因に基づいて前記機能の切り替えを開始するステップと
をさらに有することを特徴とする請求項１に記載の方法。
【請求項３】
前記開始ステップは、
第１の制御コネクションを介して前記第１の光回線終端デバイスと前記第２の光回線終端デバイスとの間で情報を交換するステップを有することを特徴とする請求項１または２に記載の方法。
【請求項４】
前記第１の制御コネクションに障害が発生すると、第２の制御コネクションを通じて、前記第１の光回線終端デバイスと前記第２の光回線終端デバイスとの間で情報を交換することを特徴とする請求項３に記載の方法。
【請求項５】
前記送信ステップは、
宛先付きのＰＯＰＵＰメッセージを前記第１の光ネットワークデバイスに送信するステップを有することを特徴とする請求項１ないし４のいずれか１項に記載の方法。
【請求項６】
前記第１の光回線終端デバイスと前記第２の光回線終端デバイスとに接続されている他の光ネットワークデバイスに対してＨＡＬＴメッセージを送信するステップをさらに有することを特徴とする請求項１ないし５のいずれか１項に記載の方法。
【請求項７】
前記設定ステップは、
前記第１の光ネットワークデバイスに対してレンジングリクエストメッセージを送信するステップと、
前記第１の光ネットワークデバイスからレンジングレスポンスメッセージを受信するステップと
を有することを特徴とする請求項１ないし６のいずれか１項に記載の方法。
【請求項８】
前記設定ステップは、
データ記憶装置からタイミングの設定を読み出すことを特徴とする請求項１ないし７のいずれか１項に記載の方法。
【請求項９】
前記設定ステップは、
レンジング時間メッセージを送信するステップを有することを特徴とする請求項１ないし８のいずれか１項に記載の方法。
【請求項１０】
前記光ネットワークシステムは、前記光分配ネットワーク、前記第１の光ファイバトランクおよび前記第２の光ファイバトランクを通じて前記第１の光ネットワークデバイスと前記第２の光回線終端デバイスと通信する第２の光ネットワークデバイスをさらに備え、
前記方法は、
前記第２の光ネットワークデバイスが初期状態へ遷移しないよう前記第２の光回線終端デバイスから前記第２の光ネットワークデバイスへ制御メッセージを送信するステップと、
前記第２の光ネットワークデバイスについてのタイミング設定を決定し、決定した該タイミング設定を前記第２の光ネットワークデバイスに設定するステップと
をさらに有することを特徴とする請求項１ないし９のいずれか１項に記載の方法。
【請求項１１】
前記第２の光回線終端デバイスへ制御メッセージを送信する前記ステップは、
宛先付きのＰＯＰＵＰメッセージを前記第２の光ネットワークデバイスに送信するステップを有することを特徴とする請求項１０に記載の方法。
【請求項１２】
前記タイミング設定を前記第２の光ネットワークデバイスに設定する前記ステップは、
前記第２の光ネットワークデバイスに対してレンジングリクエストメッセージを送信するステップと、
レンジングレスポンスメッセージを受信するステップと
を有することを特徴とする請求項１０または１１に記載の方法。
【請求項１３】
前記タイミング設定を前記第２の光ネットワークデバイスに設定する前記ステップは、
データ記憶装置からタイミング設定を読み出すステップを有することを特徴とする請求項１０ないし１２のいずれか１項に記載の方法。
【請求項１４】
前記タイミング設定を前記第２の光ネットワークデバイスに設定する前記ステップは、
前記第１の光ネットワークデバイスについて測定されたタイミング設定に基づいて、前記第２の光ネットワークデバイスについてのタイミング設定を算出するステップを有することを特徴とする請求項１０ないし１３のいずれか１項に記載の方法。
【請求項１５】
前記タイミング設定を前記第２の光ネットワークデバイスに設定する前記ステップは、
レンジング時間メッセージを送信するステップを有することを特徴とする請求項１０ないし１４のいずれか１項に記載の方法。
【請求項１６】
前記タイミング設定には、等価遅延設定が含まれていることを特徴とする請求項１０ないし１５のいずれか１項に記載の方法。
【請求項１７】
第１の光ネットワークデバイスと、光分配ネットワークとを備えた光ネットワークシステムのための光回線終端デバイスであって、
前記光回線終端デバイスは、ファイバトランクインタフェースを備え、前記ファイバトランクインタフェースにより前記光分配ネットワークと光ファイバトランクとを経由したコネクションを通じて前記第１の光ネットワークデバイスと通信するように構成されており、さらに、前記光回線終端デバイスは、前記ファイバトランクインタフェースと接続されたプロセッサデバイスを備え、
前記光回線終端デバイスは、
前記第１の光ネットワークデバイスと他の光回線終端デバイスとの間における通信の障害を検出し、
前記他の光回線終端デバイスから前記光回線終端デバイスへ機能の切り替えを開始し、
前記第１の光ネットワークデバイスが初期状態へ遷移しないよう前記第１の光ネットワークデバイスへ制御メッセージを送信し、
前記第１の光ネットワークデバイスについてのタイミング設定を決定し、決定した該タイミング設定を前記第１の光ネットワークデバイスに設定する
ことを特徴とする方法。
【請求項１８】
前記光回線終端デバイスは、前記通信の障害についての発生原因を判別し、前記通信の障害について判別した発生原因に基づいて前記機能の切り替えを開始することを特徴とする請求項１７に記載の光回線終端デバイス。
【請求項１９】
前記他の光回線終端デバイスと通信するための第１のインタフェースをさらに備え、
前記第１のインタフェースは前記プロセッサデバイスと接続されており、
前記光回線終端デバイスは、前記第１のインタフェースにより第１の制御コネクションを通じて他の光回線終端デバイスと情報を交換することを特徴とする請求項１７または１８に記載の光回線終端デバイス。
【請求項２０】
前記他の光回線終端デバイスと通信するための第２のインタフェースをさらに備え、
前記第１の制御コネクションに障害が発生すると、前記光回線終端デバイスは、前記第２のインタフェースにより第２の制御コネクションを通じて前記他の光回線終端デバイスと情報を交換する
ことを特徴とする請求項１９に記載の光回線終端デバイス。
【請求項２１】
前記第１の光ネットワークデバイスに送信される制御メッセージには、宛先付きのＰＯＰＵＰメッセージが含まれることを特徴とする請求項１７ないし２０のいずれか１項に記載の光回線終端デバイス。
【請求項２２】
前記光回線終端デバイスは、前記光回線終端デバイスと前記他の光回線終端デバイスとに接続されている他の光ネットワークデバイスに対してＨＡＬＴメッセージを送信することを特徴とする請求項１７ないし２１のいずれか１項に記載の光回線終端デバイス。
【請求項２３】
前記光回線終端デバイスは、前記第１の光ネットワークデバイスに対してレンジングリクエストメッセージを送信し、前記第１の光ネットワークデバイスからレンジングレスポンスメッセージを受信することを特徴とする請求項１７ないし２２のいずれか１項に記載の光回線終端デバイス。
【請求項２４】
前記プロセッサデバイスは、データ記憶装置を備え、前記データ記憶装置からタイミング設定などのタイミングデータを読み出すことを特徴とする請求項１７ないし２３のいずれか１項に記載の光回線終端デバイス。
【請求項２５】
前記光回線終端デバイスは、レンジング時間メッセージを送信することを特徴とする請求項１７ないし２４のいずれか１項に記載の光回線終端デバイス。
【請求項２６】
前記光回線終端デバイスは、前記光ネットワークにおける第２の光ネットワークデバイスへ制御メッセージを送信し、前記第２の光ネットワークデバイスについてのタイミング設定を決定し、決定した該タイミング設定を前記第２の光ネットワークデバイスに設定することを特徴とする請求項１７ないし２５のいずれか１項に記載の光回線終端デバイス。
【請求項２７】
前記光回線終端デバイスは、前記第２の光ネットワークデバイスへ宛先付きのＰＯＰＵＰメッセージを送信することを特徴とする請求項２６に記載の光回線終端デバイス。
【請求項２８】
前記光回線終端デバイスは、前記第２の光ネットワークデバイスに対してレンジングリクエストメッセージを送信し、前記第２の光ネットワークデバイスからレンジングレスポンスメッセージを受信することを特徴とする請求項２６または２７に記載の光回線終端デバイス。
【請求項２９】
前記光回線終端デバイスは、前記第２の光ネットワークデバイスについてのタイミング設定をデータ記憶装置から読み出すステップ
ことを特徴とする請求項２６ないし２８のいずれか１項に記載の光回線終端デバイス。
【請求項３０】
前記光回線終端デバイスは、前記第１の光ネットワークデバイスについて測定されたタイミング設定に基づいて、前記第２の光ネットワークデバイスについてのタイミング設定を算出することを特徴とする請求項２６ないし２９のいずれか１項に記載の光回線終端デバイス。
【請求項３１】
前記光回線終端デバイスは、
前記第２の光ネットワークデバイスに対してレンジング時間メッセージを送信することを特徴とする請求項２６ないし３０のいずれか１項に記載の光回線終端デバイス。
【請求項３２】
前記タイミング設定には、等価遅延設定が含まれていることを特徴とする請求項１７ないし３１のいずれか１項に記載の光回線終端デバイス。
【請求項３３】
光回線終端システムであって、
第１の光回線終端デバイスと、
第２の光回線終端デバイスと
を備え、前記第２の光回線終端デバイスは、請求項１７ないし３２のいずれか１項に記載の光回線終端デバイスであることを特徴とする光回線終端システム。
【請求項３４】
第１の光回線終端デバイスと、第２の光回線終端デバイスとを備えた光回線終端システムであって、前記第１の光回線終端デバイスは、第１のファイバトランクインタフェースと第１のコアインタフェースとを備え、前記第２の光回線終端デバイスは、第２のファイバトランクインタフェースと第２のコアインタフェースとを備え、前記第２の光回線終端デバイスは、前記第１のファイバトランクインタフェースと接続された第２のプロセッサデバイスを備え、
前記第２の光回線終端デバイスは、
前記第１の光ネットワークデバイスと前記第１の光回線終端デバイスとの間における通信の障害を検出し、
前記第１の光回線終端デバイスから前記第２の光回線終端デバイスへ機能の切り替えを開始し、
前記第１の光ネットワークデバイスが初期状態へ遷移しないよう前記第１の光ネットワークデバイスへ制御メッセージを送信し
前記第１の光ネットワークデバイスについてのタイミング設定を決定し、決定した該タイミング設定を前記第１の光ネットワークデバイスに設定する
ことを特徴とする光回線終端システム。
【請求項３５】
前記第１の光回線終端デバイスに備えられた第１のプロセッサデバイスと、前記第２のプロセッサデバイスとによって共有される共有メモリをさらに備え、前記共有メモリはタイミングデータの記憶装置として使用されることを特徴とする請求項３４に記載の光回線終端システム。
【請求項３６】
前記第１の光回線終端デバイスは、タイミングデータを記憶する第１のメモリを有した第１のプロセッサデバイスを備え、
前記第２のプロセッサデバイスは、第１のタイミング設定を含むタイミングデータを保持する第２のメモリを備える
ことを特徴とする請求項３３に記載の光回線終端システム。
【発明の詳細な説明】
【技術分野】
【０００１】
本発明は、光ネットワークシステムの保護のための方法とデバイスに関するものであり、特に、ギガビットパッシブ（受動）型光ネットワーク（ＧＰＯＮ：Ｇｉｇａｂｉｔ−ｃａｐａｂｌｅ  Ｐａｓｓｉｖｅ  Ｏｐｔｉｃａｌ  Ｎｅｔｗｏｒｋ）等の受動光ネットワーク（ＰＯＮ：Ｐａｓｓｉｖｅ  Ｏｐｔｉｃａｌ  Ｎｅｔｗｏｒｋ）に対する保護のための方法とデバイスに関する。
【背景技術】
【０００２】
近年、データ転送容量および信頼性の高いネットワークに対する要求が増してきている。光ネットワークシステムの速度を増加させ、従って容量を増加させるために、ＩＴＵ−Ｔ  Ｇ９８４等の標準規格が開発されている。
【０００３】
通信ネットワークの信頼度は、ますます重要なパラメータとなり、従って、ファイバが破断、または、ノードまたはデバイスが機能障害を起こした場合でも、光ネットワークを継続して動作させることが望まれる。ＧＰＯＮを規定しているＩＴＵ−Ｔ  Ｇ．９８４標準規格は、ＩＴＵ−Ｔ  Ｇ．９８４．１（０３／２００３）の中に４つの異なる保護切り替え（スイッチング）の可能性を含んでいる。これらは、
‐ファイバ二重化（ｄｕｐｌｅｘ）システム（Ａタイプ方式）：トランクファイバ（基幹ファイバ）だけが二重である。フィーダファイバが破断した場合には、手動で予備ファイバに切り替えることができる。より大きなネットワークにおいては切り替えが自動化されるべきであるので、ファイバスイッチが必要となり、従ってコストが高くなり、この方式は不経済になる。
‐ＯＬＴだけが二重であるシステム（Ｂタイプ方式）：トランクファイバと光回線終端（ＯＬＴ：ｏｐｔｉｃａｌ  ｌｉｎｅ  ｔｅｒｍｉｎａｔｉｏｎ）の回線終端装置（ＬＴ：ｌｉｎｅ  ｔｅｒｍｉｎａｌ）が二重である。１つのＯＬＴ−ＬＴが動作しており、他方のＯＬＴ−ＬＴはホットスタンバイの状態にあって、動作しているＯＬＴ−ＬＴが障害を起こした場合またはトランクファイバが破断した場合には、ホットスタンバイの状態にあるＯＬＴ−ＬＴが動作状態に駆動される。光ネットワークユニット（ＯＮＵ：Ｏｐｔｉｃａｌ  Ｎｅｔｗｏｒｋ  Ｕｎｉｔ）／光ネットワーク終端装置（ＯＮＴ：Ｏｐｔｉｃａｌ  Ｎｅｔｗｏｒｋ  Ｔｅｒｍｉｎａｌ）およびドロップファイバは一重（ｓｉｍｐｌｅｘ）である。ユーザが共有する要素のみが二重化されているので、この方式はコストと障害許容度との間でよいバランスを示す。
‐全てが二重化されているシステム（Ｃタイプ方式）：全ての要素が二重化されているので、全ての障害を許容するシステムである。全ての分配ファイバネットワークは二重構成にしなければならず、この解決策では非常に高いコストになる。
‐部分的に二重化されているシステム（Ｄタイプ方式）：Ｂタイプ保護とＣタイプ保護とのミックスを使用して、一重ユーザと二重ユーザとをＰＯＮの上で共存させることができる。標準規格の中で提案されている方式は、スプリッタの中でのファイバ交差があるために動作することができない。
【発明の概要】
【発明が解決しようとする課題】
【０００４】
これまで、ＧＰＯＮコミュニティにおける保護切り替えに対する興味は、限定されていた。これは、この方式を展開するための典型的なシナリオは２０ｋｍの到達距離で最大６４の分岐（スプリット）をサポートしている。したがって、保護による利益は、方式のコストと比較して小さい。しかしながら、より高い値（１２８から２５６）の分岐を持つ、到達距離を拡大したシステムの開発によって、保護はＰＯＮシステムの必須な部分になるであろう。これは、トランクファイバの切断またはＯＬＴの障害は、多数のユーザに対するサービスの停止を引き起こすと考えられるからである。
【０００５】
Ｂタイプの方式を考えると、標準規格の中で提案されている標準手順に基づく切り替えは、行うのに数分かかるであろう。これは、全てのＯＮＵ／ＯＮＴが初期状態に移行してしまうため、活性化と回線確立処理（レンジング）とを含む全ての初期化が必要になるからである。従って、このような方式では迅速な回復を行うことができず、接続またはセッションの継続を達成することができない。
【０００６】
従って、本発明の１つの目的は、ネットワークにおけるファイバ故障またはデバイス障害の場合のＰＯＮの不稼働時間を最小にするための方法とデバイスを提供することである。
【課題を解決するための手段】
【０００７】
光ネットワークシステムを保護するための方法が提供される。光ネットワークシステムは、第１の光ネットワークデバイス、光分配ネットワーク（ｏｐｔｉｃａｌ  ｄｉｓｔｒｉｂｕｔｉｏｎ  ｎｅｔｗｏｒｋ）、および、第１および第２の光回線終端デバイス（ＯＬＴ：ｏｐｔｉｃａｌ  ｌｉｎｅ  ｔｅｒｍｉｎａｔｉｏｎ  ｄｅｖｉｃｅ）を備える。ここで、第１の光ネットワークデバイスは、光分配ネットワークと、第１の光回線終端デバイスに接続された第１の光ファイバトランクとを介して第１の接続の上で第１の光回線終端デバイスと通信を行う、または通信を行うよう適合される。さらに、第１の光ネットワークデバイスは、光分配ネットワークと、第２の光回線終端デバイスに接続された第２の光ファイバトランクとを介して第２の接続の上で第２の光回線終端デバイスと通信を行う、または通信を行うよう適合される。本方法は、第１の光ネットワークデバイスと第１の光回線終端デバイスとの間の通信障害を検出するステップと、第１の光回線終端デバイスから第２の光回線終端デバイスへ機能の切り替えを開始するステップとを備える。さらに、本方法は、第１の光ネットワークデバイスが初期状態に移行するのを防止するために第２の光回線終端デバイスから第１の光ネットワークデバイスへ制御メッセージを送信するステップと、第１の光ネットワークデバイスに対するタイミング設定を決定して設定するステップとを備える。
【０００８】
本発明の重要な利点は、第１のＯＬＴの障害または第１のファイバの障害の場合に、１ミリ秒よりも短い時間内に受動光ネットワークシステムを動作に復帰させることができるという点である。
【０００９】
さらに、第１の光ネットワークデバイスと光分配ネットワークとを備える光ネットワークシステムに対する光回線終端デバイスが提供される。光回線終端デバイスは、ファイバトランクインタフェースを備え、光分配ネットワークと光ファイバトランクとを介した接続の上にある第１の光ネットワークデバイスと通信を行うよう適合される。さらに、光回線終端デバイスは、ファイバトランクインタフェースに接続されたプロセッサデバイスを備え、第１の光ネットワークデバイスと別の光回線終端デバイスとの間の通信障害を検出する。光回線終端デバイスはさらに、他方の光回線終端デバイスからその光回線終端デバイスに機能の切り替えを開始するよう適合され、また、第１の光ネットワークデバイスが初期状態に移行するのを防止するために第１の光ネットワークデバイスに制御メッセージを送信するよう適合され、さらに、第１の光ネットワークデバイスに対するタイミング設定を決定して設定する。
【００１０】
本発明の重要な利点は、第１の光ファイバトランクおよび／または第１の光回線終端デバイスが障害を起こしたとき、または不稼働になったときに、光ネットワークデバイスが初期状態に移行するのを防止することができるという点である。これにより第１の光回線終端デバイスがホストとして動作している、または第１の光回線終端デバイスに接続されている、光ネットワークデバイスの完全な再初期化を回避することができ、それにより、光ネットワークシステムの不稼働時間が大幅に低減される。
【００１１】
第１の光回線終端デバイスと第２の光回線終端デバイスとを備える光回線終端システムが提供される。第１の光回線終端デバイスは、第１のファイバトランクインタフェースと第１のコアインタフェースとを備え、第２の光回線終端デバイスは、第２のファイバトランクインタフェースと第２のコアインタフェースとを備える。さらに、第２の光回線終端デバイスは、第１のファイバトランクインタフェースに接続された第２のプロセッサデバイスを備え、第１の光ネットワークデバイスと第１の光回線終端デバイスとの間の通信障害を検出し第１の光回線終端デバイスから第２の光回線終端デバイスに機能の切り替えを開始する。さらに、第２の光回線終端デバイスは、第１の光ネットワークデバイスが初期状態に移行するのを防止するために、第１の光ネットワークデバイスに制御メッセージを送信するよう適合され、また第１の光ネットワークデバイスに対するタイミング設定を決定して設定する。
【００１２】
光ネットワークシステムの完全な再初期化には数分間を要する可能性があり、その間はこの光ネットワークは機能していない。本発明に従った方法、デバイスおよびシステムによって、例えば、５０ミリ秒またはそれ以下（例えば１０ミリ秒以下等）の時間での再確立が可能になる。
【００１３】
本発明の重要な利点は、二重化されたファイバが故障した場合、または二重化されたネットワーク要素（ＯＬＴ等）が障害を起こした場合に、ＧＰＯＮ等のＰＯＮにおいて、セッションおよび／または接続の継続性が提供される、または保持されるという点である。
【００１４】
本発明に関して上記で記述した特徴および利点、またその他の特徴および利点は、本発明に関する以下の詳細なる記述によって、特に、本発明の典型的な実施形態に関する詳細なる記述と添付の図面を参照することにより、当業者には容易に明らかになるであろう。
【図面の簡単な説明】
【００１５】
【図１】本発明に従った方法とデバイスとを使用した光ネットワークシステムを示す図である。
【図２】本発明に従った光回線終端デバイスの実施形態のブロック図である。
【図３】本発明に従った光回線終端デバイスの別の実施形態のブロック図である。
【図４】、
【図５】、
【図６】、
【図７】、
【図８】本発明に従った光回線終端システムの種々の異なる実施形態を示す図である。
【図９】本発明に従った方法の実施形態のフローチャートである。
【図１０】本発明に従った方法の実施形態のフローチャートである。
【図１１】、
【図１２】、
【図１３】、
【図１４】本発明に従った方法の選定されたステップの実施形態のフローチャートである。
【発明を実施するための形態】
【００１６】
図面は、明確にするために概要的でかつ簡潔化してある。また、本発明を理解するために必要な詳細だけを示してあり、他の詳細は省略されている。全ての図面を通して、同じ参照番号は、同一のまたは対応した部分または特徴を表すために使用されている。
【００１７】
図１は本発明に従った方法を実施する光ネットワークシステム１００を示す。この光ネットワークシステムは、ＩＴＵ−Ｔ  Ｇ．９８４．１に記述されているＢタイプ保護方式のシナリオにしたがって動作し、第１の光ネットワークデバイス（ＯＮＵ１）１０２、スプリッタ１０５を備える光分配ネットワーク１０４、第１の光回線終端デバイス（ＯＬＴ１）１０６、および、第２の光回線終端デバイス（ＯＬＴ２）１０８を備える。第１の光ネットワークデバイス１０２は、光分配ネットワーク１０４と、第１の光回線終端デバイス１０６に接続された第１の光ファイバトランク１１０とを介して第１のコネクション（接続）の上で、第１の光回線終端デバイス１０６と通信を行う。さらに、第１の光ネットワークデバイス１０２は、光分配ネットワーク１０４と、第２の光回線終端デバイス１０８に接続された第２の光ファイバトランク１１２を介して、第２の光回線終端デバイス１０８に対する第２の接続を有する。ＯＬＴ１は第１の制御接続１１６の上でＯＬＴ２と通信を行う。第１の制御接続は、電気および／または光接続であってよい。第１の制御接続は無線であってもよい。
【００１８】
第１の光回線終端デバイス１０６および第２の光回線終端デバイス１０８は、二重構成に構成され、Ｎ個の光ネットワークデバイス（ＯＮＵ１，ＯＮＵ２，．．．，ＯＮＵＮ）のホストとして動作するか、またはそれらに接続されている。典型的には、Ｎ＝２ｐであり、ここで、ｐは、Ｎの値、１、２、４、８、１６、３２、６４、１２８、２５６、５１２、１０２４に対応して、０、１、２、３、４、５、６、７、８、９、１０に等しい。さらに多くの数の光ネットワークデバイスを考えることもできる。
【００１９】
スプリッタ１０５はＮ個の光ネットワークデバイスに向けてのＮ個のＯＮＵドロップポートと、それぞれＯＬＴ１およびＯＬＴ２に接続された２つのトランクポート（基幹ポート）とを備える。
【００２０】
光ネットワークシステム１００の正常な動作においては、ＯＬＴ１は活性であり、光ネットワークデバイスＯＮＵ１、ＯＮＵ２、．．．、ＯＮＵＮにサービスを提供している。第２の光回線終端デバイスＯＬＴ２は、ホットスタンバイの状態、すなわち、第２の接続（第２の光ファイバトランク１１２）の上でアップストリームトラフィックを受信するのを待機している。
【００２１】
ＯＬＴ１または第１の光ファイバトランク１１０が障害を起こした場合には、ＯＬＴ１からＯＮＵ１−ＯＮＵＮに向かう通信は直ちに停止するであろう。これは稼動しているアクティブな全てのＯＮＵによって検出されて、その結果ＯＮＵはＯＬＴ１およびＯＬＴ２への送信を停止するであろう。そしてポップアップ（ＰＯＰＵＰ）状態に移行するであろう。光ネットワークユニット（ＯＮＵ）の動作は、ＩＴＵ−Ｔ  Ｇ．９８４．３修正１（Ａｍｅｎｄｍｅｎｔ  １）（０７／２００５）の中にさらに詳しく記述されている。ＯＬＴ２は、例えば、第２の光ファイバトランクの上で信号の消失（ＬＯＳ：ｌｏｓｓ  ｏｆ  ｓｉｇｎａｌ）を検出することにより、１つ以上の光ネットワークデバイスと第１の光回線終端との間の通信障害を検出する。１つの実施形態においては、ＯＬＴ２が、ＯＬＴ１の障害を指し示した、第１の制御接続の上の第１の制御信号の消失、および／または、第１の光ファイバトランクの障害を指し示した、第１の制御接続の上の第２の制御信号の消失を検出する。
【００２２】
１つの実施形態においては、ＯＮＵからの通信が失われたことは、ＯＬＴ１または第１の光ファイバトランク１１０における障害または故障であると解釈され、ＯＬＴ１からＯＬＴ２への機能の切り替えが開始される。ＯＮＵからの通信の消失が検出されると、ＯＬＴ２は、選定したＯＮＵｉに対して制御メッセージを極力速く送信する。これは、選定したＯＮＵｉが初期状態に入るのを防止するために、例えば、５０ミリ秒以内（２０ミリ秒以内等）に行われる。制御メッセージはあて先付きのＰＯＰＵＰメッセージであってもよい。ＯＮＵを初期状態から動作状態に戻すことは、ＯＮＵがそれらの設定を解放しているので時間がかかることになる。従ってこれは避けなければならない。一般に、ＯＮＵは、タイマの時間切れＴ２（１００ｍｓ）の前に制御メッセージを受信することが重要である。本発明に従った方法では、ＯＮＵは第２の光回線終端デバイスＯＬＴ２によってレンジングされ、そして、初期状態に遷移することなく動作状態に戻される。これは例えば、光ネットワークの中のＯＮＵ宛にブロードキャストメッセージを送信することにより行われる。それにより、貴重な不稼働時間を節約することになるため、光ネットワークシステムの信頼度を向上することができる。
【００２３】
図２は本発明に従った光回線終端デバイスの実施形態を示す。光回線終端デバイス１２０は、ファイバトランクインタフェース１２２、プロセッサデバイス１２４、および、例えば第１の制御接続１１６の上で別の光回線終端デバイスと情報を交換するための第１のインタフェース１２６を備える。プロセッサデバイスは、個別にメモリまたはデータ記憶装置（図示せず）を備えることができ、または、他の光回線終端デバイスのプロセッサデバイスとメモリを共有することができる。この点に関しては以下でより詳細に記述する。光回線終端デバイス１２０は、例えば第２の光回線終端デバイス１０８の中に設備されており、１つ以上の光ネットワークデバイスと別の光回線終端デバイス（例えば第１の光回線終端デバイス１０６）との間の通信障害を検出する。さらに、光回線終端デバイス１２０は、別の光回線終端デバイス（例えば第１の光回線終端デバイス１０６）から光回線終端デバイス１２０へ機能の切り替えを開始する。切り替えの開始は、１つ以上のＯＮＵからのアップストリームトラフィックが存在することだけに基づいて実行することができる。この様式の代替としてまたはこの様式と組み合わせて、切り替えの開始は、第１の光回線終端デバイスからの、制御接続（例えば、第１の制御接続１１６および／または第２の制御接続）の上で伝送される１つ以上の制御信号に基づいて実行することができる。１つの実施形態においては、ＯＬＴ１からの制御信号が第１の光ファイバトランクおよびＯＬＴ１が動作していることを指し示している場合には、切り替えの開始は実行されない。
【００２４】
さらに、光回線終端デバイス１２０は、宛先を指定されたＰＯＰＵＰメッセージを第１の光ネットワークデバイスに送信し、第１の光ネットワークデバイスに対するタイミング設定を決定して設定する。これは例えば、図７および図８に関連して記述されている。さらに、光回線終端デバイス１２０は、プロセッサデバイス１２４の中のメモリにネットワークデータを記憶するように構成することができる。ネットワークデータとは、往復遅延時間、または、別の光回線終端デバイス（例えばＯＬＴ１１０６）からの他の設定データ等である。メモリは、継続的に、またはある特定の頻度で更新することができる。この更新は、他方の光回線終端デバイスまたは第１の光回線終端デバイスからのデータを使用して、第１のインタフェース１２６および／または第２のインタフェースを介して行われ、機能の迅速な切り替えを可能にする。
【００２５】
第２の光ファイバトランクの上が静寂である状態は、他方の光回線終端デバイス（例えばＯＬＴ１）または第１の光ファイバトランクが障害を起こしたと言明するのには十分ではない可能性がある。その光ネットワークシステムが動作から外されたか、またはＯＮＵがある程度の時間にわたって静寂であるにすぎない可能性もある。機能の不必要な切り替えを回避するために、光回線終端デバイス１２０は、第１の光ネットワークデバイスと他方の光回線終端デバイスとの間の通信障害の原因を判定して、判定した通信障害の原因に応じて他方の光回線終端デバイスからの機能の切り替えを開始する。通信障害の原因は、第１の制御接続の上で他方の光回線終端デバイス（すなわち、第１の光回線終端デバイス）からの１つ以上の制御信号を受信して読み出すことによって判定することができる。制御信号に依存して切り替えを開始することができ、そして制御メッセージが送信され、それに従ってタイミング設定が決定されて設定される。
【００２６】
図３は光回線終端デバイス１２０'の１つの実施形態を示す。光回線終端デバイス１２０'は、二重構成の他方の光回線終端デバイスへの第２の制御接続に対する第２のインタフェース１３０をさらに有する。光回線終端デバイス１２０'は、第１の制御接続１１６が障害を起こした場合に第２のインタフェース１３０を介して、他方の光回線終端デバイス（例えばＯＬＴ１）と情報を交換する。
【００２７】
図４は本発明に従った光回線終端システムの１つの実施形態を示す。光回線終端システム１５０は、第１の光回線終端デバイス（ＯＬＴ１）１０６と第２の光回線終端デバイス（ＯＬＴ２）１２０'とを備える筐体１５１を有する。第１の光回線終端デバイス１０６および第２の光回線終端デバイス１２０'は、それぞれ、第１のファイバトランクインタフェース１２２'および第２のファイバトランクインタフェース１２２を有する。またそれらは、第１のインタフェースとして、それぞれ、１２６'、１２６、および、第２のインタフェースとして、それぞれ、１３０'、１３０を有する。インタフェース１２６、１２６'、１３０、１３０'とそれらに対応する第１の制御接続１１６および第２の制御接続１５２によって、ＯＬＴ２は通信障害の原因を判定することができる。さらに、ＯＬＴ２は、ＯＬＴ１からの、等化遅延量、往復遅延時間、ＧＰＯＮ構成データ、および／または、サービス定義（ｓｅｒｖｉｃｅ  ｄｅｆｉｎｉｔｉｏｎ）等のネットワーク関連データをミラーするよう構成することができる。またその逆に、ＯＬＴ１はＯＬＴ２からのこれらのデータをミラーするよう構成することができる。これらは、光ネットワークシステムにおける通信セッションを解放することなく切り替えを実行するために重要である可能性がある。光回線終端システムの１つの実施形態においては、ＯＬＴ１およびＯＬＴ２は、メモリを共有することによりデータアクセスを容易にしている。プロセッサデバイス１２４および１２４'は、同一のまたは別個のシリコンボードに設備することができる。
【００２８】
図５は本発明に従った光回線終端システムの１つの実施形態を示す。光回線終端システム１６０は第１の光回線終端デバイスを備える。第１の光回線終端デバイスは、第１のファイバトランクインタフェース１２２'、第１のプロセッサデバイス１２４'、および第１のコアインタフェース１３２'を備える。さらに、光回線終端システム１６０は第２の光回線終端デバイスを備える。第２の光回線終端デバイスは、第２のファイバトランクインタフェース１２２、第２のプロセッサデバイス１２４、および第２のコアインタフェース１３２を備える。光回線終端システムの１つの実施形態においては、第１のコアインタフェース１３２'と第２のコアインタフェース１３２とは、単一のコアインタフェースの中に統合することができる。第１のファイバトランクインタフェース１２２'と第２のファイバトランクインタフェース１２２とは、例えばＩＴＵ−Ｔ  Ｇ．９８４．２ＰＭＤ規格に従った光学部品、および／またはファイバトランクコネクタを備えることができる。図示した実施形態においては、第１のプロセッサデバイス１２４'と第２のプロセッサデバイス１２４とは、シリコンボード１６２の上に（例えばＧＰＯＮＭＡＣ（ＧＰＯＮ  Ｍｅｄｉａ  Ａｃｃｅｓｓ  Ｃｏｎｔｒｏｌ）シリコンの中で）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）またはＦＰＧＡ（Ｆｉｅｌｄ−Ｐｒｏｇｒａｍｍａｂｌｅ  Ｇａｔｅ  Ａｒｒａｙ）によって構成される。第１のプロセッサデバイス１２４'は、第１のＧＰＯＮ  Ｅｎｃａｐｓｕｌａｔｉｏｎ  Ｍｅｔｈｏｄブロック（ＧＥＭ１）および第１のＧＰＯＮ  Ｔｒａｎｓｍｉｓｓｉｏｎ  Ｃｏｎｖｅｒｇｅｎｃｅブロック（ＧＴＣ１）を備え、第２のプロセッサデバイス１２４は、第２のＧＰＯＮ  Ｅｎｃａｐｓｕｌａｔｉｏｎ  Ｍｅｔｈｏｄブロック（ＧＥＭ２）および第２のＧＰＯＮ  Ｔｒａｎｓｍｉｓｓｉｏｎ  Ｃｏｎｖｅｒｇｅｎｃｅブロック（ＧＴＣ２）を備える。第１のプロセッサデバイス１２４'と第２のプロセッサデバイス１２４とはメモリまたはデータ記憶装置１２８を共有する。
【００２９】
共有メモリ、および／または光回線終端デバイス間でのタイミングデータおよび他の設定情報を交換するための制御接続によって、第２の光回線終端デバイスはＯＮＵを初期状態に移動させることなく切り替えを実行することができる。
【００３０】
コアインタフェース１３２および／またはコアインタフェース１３２'は、イーサネット（登録商標）／ＩＰパケット処理デバイスとインタフェースを取ることができる。光回線終端システムの１つの実施形態においては、第１のコアインタフェース１３２'と第２のコアインタフェース１３２とは、単一のコアインタフェースの中に統合することができる。
【００３１】
図６は本発明に従った光回線終端システムの１つの実施形態を示す。光回線終端システム１７０は、図５の光回線終端システム１６０と同様であるが、第１の光回線終端デバイスと第２の光回線終端デバイスとはそれぞれ別個のメモリ１２８'および１２８を有することだけが異なる。
【００３２】
光回線終端システム１７０は、第１の光回線終端デバイスと第２の光回線終端デバイスとの間の第１の制御接続１１６をさらに備える。通信障害の原因を判定することが可能なように制御信号が交換される。これらの制御信号は、例えば、第１の制御信号は第１の光回線終端デバイスの適当な機能を指し示すことができ、および／または第２の制御信号は第１の光ファイバトランクの適当な機能を指し示すことができる。光回線終端システム１７０は、等化遅延量、往復遅延時間、ＧＰＯＮ構成データおよび／またはサービス定義等のネットワーク関連データを、メモリ１２８および１２８'の間でミラーリングする。
【００３３】
光回線終端デバイスのメモリ、特に図５および図６のメモリ１２８および１２８'は、第１の光回線終端デバイスおよび／または第２の光回線終端デバイスに対するネットワーク関連データ、ＧＰＯＮ構成データ、および／または、サービス定義を保持するよう構成することができる。
【００３４】
メモリ１２８および１２８'は、１つ以上のＯＮＵｎ（ｎ＝１，２，．．．，Ｎ）に対する第１の光回線終端デバイスの等化遅延量ＥｑＤ１（ｎ）および／または１つ以上のＯＮＵｎ（ｎ＝１，２，．．．，Ｎ）に対する第２の光回線終端デバイスの等化遅延量ＥｑＤ２（ｎ）を保持するよう構成することができる。この様式の代替としてまたはこの様式と組み合わせて、メモリ１２８および１２８'は、１つ以上のＯＮＵｎ（ｎ＝１，２，．．．，Ｎ）に対する第１の光回線終端デバイスの往復遅延時間ＲＴＤ１（ｎ）および／または１つ以上のＯＮＵｎ（ｎ＝１，２，．．．，Ｎ）に対する第２の光回線終端デバイスの往復遅延時間ＲＴＤ２（ｎ）を保持するよう構成することができる。
【００３５】
図７は本発明に従った光回線終端システムのさらなる実施形態を示す。光回線終端システム１８０は、第１の光回線終端デバイス（ＯＬＴ１）１０６および第２の光回線終端デバイス（ＯＬＴ２）１０８、１２０を備える。第１の光回線終端デバイス１０６および第２の光回線終端デバイス１０８、１２０は、それぞれ、第１のファイバトランクインタフェース１２２'および第２のファイバトランクインタフェース１２２を有する。第１の制御接続１１６は、異なる場所に位置するＯＬＴ１とＯＬＴ２との間を、例えばＬＡＮ（Ｌｏｃａｌ  Ａｒｅａ  Ｎｅｔｗｏｒｋ）等を介して通信を行う外部通信リンク１７２を備える。このタイプの保護はデュアルホーミング（ｄｕａｌ  ｈｏｍｉｎｇ）を持つＢタイプの保護と呼ぶことができる。
【００３６】
図８は本発明に従った光回線終端システムの１つの実施形態を示す。光回線終端システム１９０は、シリコンボード１９１の上にＡＳＩＣまたはＦＰＧＡで形成され、第１の光回線終端デバイス（ＯＬＴ１）１０６と第２の光回線終端デバイス（ＯＬＴ２）１０８、１２０とを備える。第１の光回線終端デバイス１０６および第２の光回線終端デバイス１０８は、それぞれ、第１の光ファイバトランクインタフェース１２２'および第２の光ファイバトランクインタフェース１２２を有する。ＯＬＴ２は、ＯＬＴ１からのネットワーク関連データ（ＧＰＯＮおよびサービス定義）をミラーするよう、またはその逆に、ＯＬＴ１は、ＯＬＴ２からのネットワーク関連データをミラーするようよう適合される。これらのミラーリングは、バス１９２の形で第１の制御接続１１６を介して行われる。これは、光ネットワークシステムにおいて通信セッションを解放することなく切り替えを実行するために重要である可能性がある。ＯＬＴ１およびＯＬＴ２は、データ記憶装置を共有するかまたは別個に有することができる。これは図５および図６にさらに詳細に示されている。
【００３７】
図４〜図８の光回線終端システム１５０、１６０、１７０、１８０、および１９０は、本発明に従った、第１の光回線終端デバイス１０６および第２の光回線終端デバイス１０８、１２０、および方法を実施する種々の異なる様式を示す典型的な実施形態である。図４〜図６および図８に示されている光回線終端システムの実施形態はシングルホーミング（ｓｉｎｇｌｅ  ｈｏｍｉｎｇ）を備えたＢタイプの保護方式と呼ぶことができる。
【００３８】
１つの実施形態においては、本発明に従った２つの光回線終端システムは、同一のＧＰＯＮボードの上に形成される。
【００３９】
図９は本発明に従った方法の実施形態を示すフローチャートである。本方法は、図１に示す光ネットワークシステム１００、または図４〜図８に示す光回線終端システムにおいて実施することができる。方法２０２においては、ステップ２０４において、第１の光ネットワークデバイスと第１の光回線終端デバイスとの間の通信障害が検出される。引き続いて、本方法はステップ２０６へと進み、第１の光回線終端デバイスから第２の光回線終端デバイスへ機能の切り替えを開始する。そしてその後に、ステップ２０８において、宛先を指定されたＰＯＰＵＰメッセージの形で、制御メッセージを第２の光回線終端デバイスから第１の光ネットワークデバイスへと送信し、第１の光ネットワークデバイスが初期状態に移行するのを防止する。ステップ２０８において制御メッセージを送信した後に、本方法はステップ２１０に進み、第１の光ネットワークデバイスに対するタイミング設定を決定して設定する。多くの場合には、第１の回線終端デバイスに対する往復遅延時間と第２の回線終端デバイスに対する往復遅延時間とは異なる。往復遅延時間におけるこの差異は、第１の光ファイバトランクにおけるトランク遅延時間ｄ１と第２の光ファイバトランクにおけるトランク遅延時間ｄ２との間の差異に起因する。
【００４０】
本発明に従った方法においては、制御メッセージを送信するステップは、光ネットワークユニットまたは光ネットワーク終端等の光ネットワークデバイスが初期状態に移行するのを防止する任意の制御メッセージを送信するステップを備えることができる。制御メッセージを送信するステップは１つ以上の、宛先を指定されたＰＯＰＵＰメッセージを送信するステップを備えることが望ましい。ＧＰＯＮにおいては、宛先を指定されたＰＯＰＵＰメッセージは光ネットワークデバイスが初期状態に移行する以前に（すなわち、タイマＴ２の時間切れ（１００ｍｓ）以前に）光ネットワークデバイスに到達することが重要である。
【００４１】
遅延時間の変化が重要である。これは、全てのバーストが一時的な重なりがない（衝突がない）ように配列されてＯＬＴにおいて受信されるように、ＯＮＵはＯＮＵのアップストリームバーストのタイミングをとる必要があるからである。ＯＬＴはＯＮＵに対してアップストリーム送信に対するタイムスロットを許諾している。ＯＬＴ２が引き継ぐ場合には、変化するものはファイバトランク遅延時間だけである。それぞれのＯＮＵｎ（ｎ＝１，２，．．．，Ｎ）の等化遅延量メモリにおいて、ＯＬＴ１に対する等化遅延量ＥｑＤ１（ｎ）がＯＬＴ２に対する等化遅延量ＥｑＤ２（ｎ）によって置き換えられる場合には、光ネットワークシステムは、全ての光ネットワーク設定を解放することなく、動作状態に戻されることができる。
【００４２】
タイミング設定を決定して設定するステップ２１０ついては、図１１〜図１４に示されているステップ２０８および２１０の実施形態を参照して、さらに詳細に記述する。
【００４３】
例えば、光分配ネットワークまたはシステムの他の部分における不稼働または障害によって通信が失われた場合に、第１の光回線終端デバイスから第２の光回線終端デバイスへの機能の、不必要な切り替えを回避することができれば、それは望ましいことである。それゆえ、本発明に従った方法は、通信障害の原因を判定し、判定した通信障害の原因に基づいて機能の切り替えを開始するステップを備えることができる。１つの実施形態においては、例えば、第１の光ファイバトランクおよび／または第１の光回線終端デバイスの障害または不稼働の場合にだけ切り替えを行うといった切り替え方式に従って切り替えを開始することができる。
【００４４】
本発明の１つの実施形態においては、機能の切り替えを開始するステップは、第１の光回線終端デバイスと第２の光回線終端デバイスとの間で、第１の制御接続の上で（例えばそれぞれの光回線終端デバイスにおける第１のインタフェースを介して）情報を交換するステップを備えることができる。第１の光回線終端デバイスと第２の光回線終端デバイスとの間の情報は、第１の制御接続が障害を起こした場合には、第２の制御接続の上で交換することができる。これはすなわち、制御接続は二重であってよいということである。情報は、第１および第２の光回線終端デバイスに接続された光ネットワークデバイスに対する等化遅延量および／または往復遅延時間等のタイミング設定を備えることができる。
【００４５】
通信障害があった場合には、光ネットワークデバイスはデータの送信を停止する。全てのｎ＝１，．．．，Ｎに対するＯＮＵｎからの静寂を保証するために、本方法は、第１および第２の光回線終端デバイスに接続された光ネットワークデバイスに対して、第１および第２の光回線終端デバイスに接続された光ネットワークデバイスの内で、宛先を指定されたＰＯＰＵＰメッセージを受信した光ネットワークデバイス（例えば、第１の光ネットワークデバイス）を除いて、他の全ての光ネットワークデバイスに対してＨＡＬＴ（停止）メッセージを送信するステップを備えることができる。
【００４６】
本発明に従った方法の１つの実施形態においては、第１の光ネットワークデバイスに対するタイミング設定を決定して設定するステップは、第１の光ネットワークデバイスにレンジング要求メッセージを送信し、第１の光ネットワークデバイスからレンジング応答メッセージを受信するステップを備える。
【００４７】
この様式の代替としてまたはこの様式と組み合わせて、第１の光ネットワークデバイスに対するタイミング設定を決定して設定するステップは、データ記憶装置からタイミング設定を検索するステップを備える。タイミング設定は、例えば、第１の光ネットワークデバイスと第１の光回線終端デバイスとの間の等化遅延量および／または往復遅延時間である。
【００４８】
第１の光ネットワークデバイスに対するタイミング設定を決定して設定するステップは、レンジング時間（ｒａｎｇｉｎｇ  ｔｉｍｅ）メッセージを送信するステップを備えることができる。これは例えば、宛先を付与された、またはブロードキャストされたレンジング時間メッセージである。
【００４９】
光ネットワークシステムは、光分配ネットワーク、およびそれぞれ、第１および第２の光ファイバトランクを介して第１の光回線終端デバイスおよび第２の光回線終端デバイスと通信する第２の光ネットワークデバイスを備えることができる。その場合には、本方法は、第２の光回線終端デバイスから第２の光ネットワークデバイスへ制御メッセージを送信し、第２のネットワークデバイスが初期状態に移行することを防止するようにして、第２の光ネットワークデバイスに対するタイミング設定を決定して設定するステップをさらに備えることができる。
【００５０】
例えば、第１および第２の回線終端デバイスに接続された光ネットワークデバイスに対する等化遅延量設定等、光ネットワークデバイスに対するタイミング設定は、どの光回線終端デバイスが動作状態にあるかにしばしば依存する。これはすなわち、タイミング設定の第１のセットは第１の光回線終端デバイスが制御する状態にあるときに光ネットワークデバイスに適用され、タイミング設定の第２のセットは第２の光回線終端デバイスが制御する状態にあるときに光ネットワークデバイスに適用されるということである。
【００５１】
第２の光回線終端デバイスが引き継ぐ場合には、光ネットワークデバイスのタイミング設定は、新しい動作方式に適合するよう調整されなければならない。タイミング設定（例えば、タイミング設定の第２のセット）は、選定した１つ以上の光ネットワークデバイス（例えば、第１および／または第２の光ネットワークデバイス）に対して、例えば第２の光回線終端デバイスからレンジング要求メッセージを送信し、その選定した光ネットワークデバイス（例えば、第１および／または第２の光ネットワークデバイス）からレンジング応答メッセージを受信することによって決定することができる。本発明の１つの実施形態においては、レンジング要求メッセージは、第２の光回線終端デバイスに接続された光ネットワークデバイスのそれぞれに対して送信される。
【００５２】
本発明の１つの実施形態においては、光ネットワークデバイスに対するタイミング設定の第２のセットは、第１および／または第２の光ネットワークデバイスに対するタイミング設定（例えば、等化遅延量）を含み、一部分または全部をデータ記憶装置から検索することができる。この様式の代替としてまたはこの様式と組み合わせて、タイミング設定または一部のタイミング設定は、算出することができる。これは例えば、１つの光ネットワークデバイスに対するタイミング設定は測定することができ、残りの光ネットワークデバイスに対する新しいタイミング設定（第２のセット）は、実行した測定とタイミング設定の第１のセットとに基づいて算出することができる。タイミング設定の第１のセットは、例えば第２の回線終端デバイスの中のメモリから検索することができる。
【００５３】
タイミング設定はレンジング時間メッセージを送信することにより設定することができる。レンジング時間メッセージは、光ネットワークデバイスに対するタイミング設定のリストを備えるブロードキャストレンジング時間メッセージであってもよい。
【００５４】
図１０は本発明に従った方法の１つの実施形態を示すフローチャートである。方法２０２'は図１に示された光ネットワークシステム１００において実施することができる。方法２０２'は、図９に関連して記述したステップ２０４、２０６、２０８および２１０に加えて、切り替えが開始されるべきか否かを判定するステップ２１２を、通信障害を検出するステップ２０４の後に備える。ステップ２１２における判定は、通信障害の原因を判定（すなわち、ＯＬＴ１または第１の光ファイバトランクが障害を起こしたか否かを判定）するステップを備える。ＯＬＴ１または第１の光ファイバトランクが障害を起こした場合には、方法２０２'はステップ２０６に進む。
【００５５】
図１１は、本発明に従った方法のステップ２０８および２１０の典型的な実施形態のフローチャートを示す。これは、例えば、図９および図１０に示した方法である。第１の光ネットワークデバイスに制御メッセージを送信するステップ２０８は、Ｎ個の光ネットワークデバイスＯＮＵの内から１つのＯＮＵｉを選定するステップ２５０を備える。さらに、ステップ２０８は、その選定した光ネットワークデバイスＯＮＵｉを宛先としたＰＯＰＵＰメッセージを送信するステップ２５２を備える。１つの実施形態においては、光ネットワークデバイスＯＮＵ１がデフォルトとして選定される。宛先を指定されたＰＯＰＵＰメッセージは、第２の光回線終端デバイスから、第２の光ファイバトランクを介して、選定した光ネットワークデバイスＯＮＵｉに送信される。図示された実施形態においては、タイミング設定を決定して設定するステップ２１０は、選定したＯＮＵｉのレンジングを行うステップ、すなわち往復遅延時間を測定するステップと、実行したレンジングに基づいて全てのＯＮＵｎ（ｎ＝１，．．．，Ｎ）に対する等化遅延量を算出するステップを備える。ステップ２１０は、選定した光ネットワークデバイスにレンジング要求メッセージを送信するステップ２５４を備える。ステップ２５６において、第２の光回線終端デバイス（例えば第２の光回線終端デバイス１０８、１２０、１２０'）は、選定した光ネットワークデバイスからレンジング応答メッセージを受信し、これにより、選定した光ネットワークデバイスと第２の光回線終端デバイスとの間の往復遅延時間ＲＴＤ２（ｉ）を測定する。ステップ２５６の後に、第１の光ネットワークデバイスに対する等化遅延量ＥｑＤ２（ｉ）がステップ２５８において算出される。さらに、ステップ２５８は、残りの等化遅延量を算出するステップを備える。すなわち、全てのＯＮＵｎ（ｎ＝１，．．．，Ｎ）に対する等化遅延量ＥｑＤ２（ｎ）が算出される。全てのＯＮＵｎ（ｎ＝１，．．．，Ｎ）に対する等化遅延量ＥｑＤ２（ｎ）は次式で与えられる。
ＥｑＤ２（ｎ）＝ＥｑＤ１（ｎ）＋Δｄ
ここで、Δｄは第２の光ファイバトランクに対するトランク遅延時間ｄ２と第１の光ファイバトランクに対するトランク遅延時間ｄ１との差であり、次式で与えられる。
Δｄ＝ｄ２−ｄ１＝ＲＴＤ２（ｉ）−ＲＴＤ１（ｉ）
ここで、ＲＴＤ２（ｉ）は選定した光ネットワークデバイスＯＮＵｉに対して測定された往復遅延時間であり、ＲＴＤ１（ｉ）は第１の光回線終端デバイスと選定した光ネットワークデバイスＯＮＵｉとの間の往復遅延時間である。ｄ２およびｄ１以外の遅延時間は変化していない。ＲＴＤ１（ｉ）および／またはＥｑＤ１（ｎ）は第２の光回線終端デバイスの中のメモリ（例えば、メモリ１２８）から検索することができる。
【００５６】
タイミング設定を決定した後に、本方法はステップ２６０に進み、宛先を指定されたＰＯＰＵＰメッセージを全てのＯＮＵｍ（ｍ≠ｉ）に対して送信する。ＰＯＰＵＰ状態タイマの時間切れ（ＩＴＵ−Ｔ  Ｇ．９８４．３  Ａｍｅｎｄｍｅｎｔ  １（０７／２００５）に従えばＧＰＯＮに対してはＴ２（１００ｍｓ））以前に全ての光ネットワークユニットが宛先として指定されたＰＯＰＵＰメッセージを受信することが重要である。これによって光ネットワークユニットは、初期状態に移行することが防止されて動作状態に戻ることができる。ステップ２６０の後に、本方法はステップ２６２に進み、新しいタイミング設定を設定する（例えば、ＲａｎｇｉｎｇＴｉｍｅメッセージの送信と図示されているように）。このＲａｎｇｉｎｇＴｉｍｅメッセージはブロードキャストＲａｎｇｉｎｇＴｉｍｅメッセージであってよく、このメッセージは、それぞれの光ネットワークデバイスＯＮＵｎに対する新しい等化遅延量ＥｑＤ２（ｎ）のリストを持ち、全てのＯＮＵｎ（ｎ＝１，．．．，Ｎ）に対して送信される。ステップ２６２は、それぞれの光ネットワークデバイスに対して１つずつで、全部でＮ個のＲａｎｇｉｎｇＴｉｍｅメッセージを送信するステップを備えることができる。光ネットワークデバイスは、ＲａｎｇｉｎｇＴｉｍｅメッセージを受信すると、動作状態に戻されて、通信が再び確立される。
【００５７】
図１１に示された方法の実施形態においては、ブロードキャストＰＯＰＵＰメッセージを送信するステップによってステップ２５０および２５２を置換し、ステップ２６０を省略しステップ２６２がステップ２５８の後に続くようにすることもできる。
【００５８】
図１１に部分的に示す方法の利点は、新しい等化遅延量の判定が１回の往復時間の測定に基づいて実行され、それによってＮ−１回の往復時間測定が節約できる点である。
【００５９】
本発明に従った方法は、５０ミリ秒以内に実行することができて、これによりセッションの継続性を保証することができる。ある実施形態においては、回復は、例えば２ミリ秒等、１０ミリ秒以内に実行することができる。
【００６０】
図１２は、本発明に従った方法のステップ２０８および２１０の典型的な実施形態のフローチャートを示す。これは、例えば、図９および図１０に示された方法である。図１２に示す実施形態においては、ステップ２０８は、ステップ２６６を備え、ステップ２６６では、第２の光回線終端は、宛先を指定されたＰＯＰＵＰメッセージを全ての光ネットワークデバイスＯＮＵｎ（ｎ＝１，．．．，Ｎ）に送信する。それに引き続いて、本方法はステップ２１０に進む。ステップ２１０はステップ２６４を備え、ステップ２６４ではそれぞれの光ネットワークデバイスＯＮＵｎに対する等化遅延量ＥｑＤ２（ｎ）の第２のセットをメモリ（例えばメモリ１２８）から検索する。そして最後にステップ２６２に進む。これは上記でより詳細に記述されている。
【００６１】
図１２に示される方法の実施形態においては、ステップ２６６はブロードキャストＰＯＰＵＰメッセージを送信するステップで置き換えることができる。
【００６２】
図１３および図１４は、図１１に示された実施形態と同様な実施形態を示す。図１３および図１４に示される方法はステップ２６８をさらに備え、ステップ２６８では、全てのＯＮＵｍ（ｍ≠ｉ）にＨＡＬＴメッセージを送信することにより、全てのＯＮＵｍ（ｍ≠ｉ）の上でのアップストリームの静寂を保証し、それにより往復遅延時間の測定を可能にする。
【００６３】
本発明に従った方法、デバイス、およびシステムは、任意の受動光ネットワーク（ＰＯＮ：Ｐａｓｓｉｖｅ  Ｏｐｔｉｃａｌ  Ｎｅｔｗｏｒｋ）において実施可能であり、特に、例えばＧ．９８４．１−３に記述されているギガビット受動光ネットワーク（ＧＰＯＮ：Ｇｉｇａｂｉｔ−ｃａｐａｂｌｅ  Ｐａｓｓｉｖｅ  Ｏｐｔｉｃａｌ  Ｎｅｔｗｏｒｋ）において、または、例えばＩＥＥＥ８９２．３ａｈに記述されているイーサネット受動光ネットワーク（ＥＰＯＮ：Ｅｔｈｅｒｎｅｔ（登録商標）  Ｐａｓｓｉｖｅ  Ｏｐｔｉｃａｌ  Ｎｅｔｗｏｒｋ）において実施することができる。
【００６４】
本発明は、添付の図面に示されている本発明の典型的な実施形態に加えて、種々の異なる形で実施することができ、本明細書に記載されている実施形態に限定されると解釈されるべきではないという点に注意を要する。むしろ、本明細書に示された実施形態は、本開示を完璧かつ完全にするために、また、当業者に対して本発明の考え方を十分に伝えるために提供されるものである。
【図１】
2011519197.tif 000003
【図２】
2011519197.tif 000004
【図３】
2011519197.tif 000005
【図４】
2011519197.tif 000006
【図５】
2011519197.tif 000007
【図６】
2011519197.tif 000008
【図７】
2011519197.tif 000009
【図８】
2011519197.tif 000010
【図９】
2011519197.tif 000011
【図１０】
2011519197.tif 000012
【図１１】
2011519197.tif 000013
【図１２】
2011519197.tif 000014
【図１３】
2011519197.tif 000015
【図１４】
2011519197.tif 000016
【手続補正書】
【提出日】平成23年2月17日(2011.2.17)
【手続補正１】
【補正対象書類名】特許請求の範囲
【補正対象項目名】請求項１７
【補正方法】変更
【補正の内容】
【請求項１７】
第１の光ネットワークデバイスと、光分配ネットワークとを備えた光ネットワークシステムのための光回線終端デバイスであって、
前記光回線終端デバイスは、ファイバトランクインタフェースを備え、前記ファイバトランクインタフェースにより前記光分配ネットワークと光ファイバトランクとを経由したコネクションを通じて前記第１の光ネットワークデバイスと通信するように構成されており、さらに、前記光回線終端デバイスは、前記ファイバトランクインタフェースと接続されたプロセッサデバイスを備え、
前記光回線終端デバイスは、
前記第１の光ネットワークデバイスと他の光回線終端デバイスとの間における通信の障害を検出し、
前記他の光回線終端デバイスから前記光回線終端デバイスへ機能の切り替えを開始し、
前記第１の光ネットワークデバイスが初期状態へ遷移しないよう前記第１の光ネットワークデバイスへ制御メッセージを送信し、
前記第１の光ネットワークデバイスについてのタイミング設定を決定し、決定した該タイミング設定を前記第１の光ネットワークデバイスに設定する
ことを特徴とする光回線終端デバイス。
【手続補正２】
【補正対象書類名】特許請求の範囲
【補正対象項目名】請求項２９
【補正方法】変更
【補正の内容】
【請求項２９】
前記光回線終端デバイスは、前記第２の光ネットワークデバイスについてのタイミング設定をデータ記憶装置から読み出すことを特徴とする請求項２６ないし２８のいずれか１項に記載の光回線終端デバイス。
【国際調査報告】
2011519197.tif 000017
2011519197.tif 000018
2011519197.tif 000019
2011519197.tif 000020